(57)【要約】【課題】再工事することなく複数の通信方式のアンテナモジュールに対応でき、かつ小型化された非接触型ＩＣカードリーダを提供する。【解決手段】非接触型ＩＣカードリーダに内蔵した制御部Ｂは、ＩＣカードの読み取り処理のために、通信方式の種別に対応させた複数のアンテナモジュールのすべてに対応して、ＩＣカードの読み取りのために必要なデータを送受する信号端子１ａを有した信号処理部１と、アンテナモジュールＡの１つと選択接続するための共通コネクタ３と、信号処理部１の信号端子１ａと、共通コネクタ３の信号端子との接続を選択的に切り換える通信方式選択設定手段２とを備えている。【選択図】図１
2005078381.tif 000002
【特許請求の範囲】
【請求項１】
カードリーダ本体に内蔵したアンテナを介して、ＩＣカードとの間で電磁誘導による電波を送受し、ＩＣカードに記憶させた情報を読み取るための制御部を備えた非接触型ＩＣカードリーダであって、
上記制御部は、
ＩＣカードの読み取り処理のために、通信方式の種別に対応した複数のアンテナモジュールのすべてに対応して、ＩＣカードの読み取りのために必要なデータを送受する信号端子を有した信号処理部と、
上記アンテナモジュールの１つと選択接続するための共通コネクタと、
上記信号処理部の信号端子と、上記共通コネクタの信号端子との接続を選択的に切り換える通信方式選択設定手段とを備えている
非接触型ＩＣカードリーダ。
【請求項２】
請求項１において、
上記通信方式選択設定手段は、上記信号処理部の信号端子のうち、選択されたアンテナモジュールに対応した信号端子のみを、有効な信号端子として上記共通コネクタに接続するためのジャンパを備えている
非接触型ＩＣカードリーダ。
【請求項３】
請求項１または２において、
上記制御部は、上記複数の通信種別の異なるアンテナモジュールに対応した複数の電源回路部を更に備えている
非接触型ＩＣカードリーダ。
【請求項４】
請求項３において、
上記共通コネクタは、上記複数の通信種別の異なるアンテナモジュールに対応した複数の電源回路部に対応する電源供給端子を更に備えている
非接触型ＩＣカードリーダ。
【請求項５】
請求項１〜４のいずれかにおいて、
上記複数の通信方式は、非同期式２種および同期式の計３種であることを特徴とする
非接触型ＩＣカードリーダ。
【請求項６】
請求項１〜５のいずれかにおいて、
通信方式の種別に対応した複数のアンテナモジュールを備えている
非接触型ＩＣカードリーダ。
【発明の詳細な説明】
【技術分野】
【０００１】
本発明は、電磁誘導による電波によりＩＣカードとの通信を行う非接触型ＩＣカードリーダの改良に関する。
【背景技術】
【０００２】
近年、偽造・変造がしにくく、高い安全性を有した非接触型ＩＣカードが普及しつつある。
【０００３】
この非接触型ＩＣカードは、その内部にＩＣを動作させるための電源を備えておらず、ＩＣカードをＩＣカードリーダにかざすと、カードリーダのアンテナから微弱電波を受けて、ＩＣカード内に電力が発生する。この電力で起動したＩＣカードとカードリーダが相互に通信を行い、ＩＣカード内のデータの読み取りと書き込みが可能となる。
【０００４】
非接触ＩＣカードとＩＣカードリーダとの通信方式には、同期式のものと非同期式のものとがあり、ＩＣカードリーダはそれぞれの方式に応じて、いずれかの方式に対応した信号回路とアンテナモジュールとを含んだ構成となっている。
【０００５】
なお、次の特許文献１には、非同期式のＩＣカードリーダライタが記載されている。
【特許文献１】特開平１−１５０９９２号公報
【発明の開示】
【発明が解決しようとする課題】
【０００６】
上記の通信方式ごとに対応したＩＣカードリーダは、それぞれが１つの方式に対応したものであるため、カードリーダを壁などに埋め込むなどの施工工事をした後に、通信方式の異なる他のカード種別に変更する場合、カードリーダそのものを取り替えなければならず、再工事が必要であった。
【０００７】
この問題を解決する方法として、複数の通信方式に対応した複数の通信回路と、複数のアンテナモジュールに接続させるためのそれぞれのコネクタとを設けた回路基板をカードリーダに内蔵する方法がある。
【０００８】
しかしながら、ピン数を増やしたりコネクタを複数設けたりすると、制御回路基板およびＩＣカードリーダが大型化してしまうという問題がある。
【０００９】
なお、現在においては、ＩＣカードの通信方式つまりアンテナには、非同期式のＡタイプ、Ｂタイプ、および同期式タイプの計３種のものが少なくとも提案されている。これらのアンテナモジュールとの通信回路を図６に示しているが、上記の考え方に従えば、図に示した３種の接続回路を回路基板に組み込まなければならない。なお、上記非同期式のＡタイプ、Ｂタイプは、供給電源の電圧値およびカードの読み取り感度が異なるものである。
【００１０】
本発明は、このような問題を解決すべく提案されたもので、その目的は、再工事することなく複数の通信方式のアンテナモジュールに対応でき、かつ小型化された非接触型ＩＣカードリーダを提供することにある。
【課題を解決するための手段】
【００１１】
上記目的を達成するために、請求項１に記載の非接触型ＩＣカードリーダは、カードリーダ本体に内蔵したアンテナを介して、ＩＣカードとの間で電磁誘導による電波を送受し、ＩＣカードに記憶させた情報を読み取るための制御部を備えた非接触型ＩＣカードリーダであって、次の構成を有している。
【００１２】
すなわち、上記制御部は、ＩＣカードの読み取り処理のために、通信方式の種別に対応した複数のアンテナモジュールのすべてに対応して、ＩＣカードの読み取りのために必要なデータを送受する信号端子を有した信号処理部と、アンテナモジュールの１つと選択接続するための共通コネクタと、信号処理部の信号端子と、共通コネクタの信号端子との接続を選択的に切り換える通信方式選択設定手段とを備えている。
【００１３】
請求項２では、請求項１において、通信方式選択設定手段は、信号処理部の信号端子のうち、選択されたアンテナモジュールに対応した信号端子のみを有効な信号端子として共通コネクタに接続するためのジャンパを備えている。
【００１４】
請求項３では、請求項１または２において、制御部が複数の通信種別の異なるアンテナモジュールに対応した複数の電源回路部を更に備えている。
【００１５】
請求項４では、請求項３において、共通コネクタは、複数の通信種別の異なるアンテナモジュールに対応した複数の電源回路部に対応する電源供給端子を更に備えている。
【００１６】
請求項５では、請求項１〜３のいずれかにおいて、複数の通信方式は２種の非同期式および同期式の３種であることを特徴とする。
【００１７】
請求項６に記載の非接触型ＩＣカードリーダは、請求項１〜５のいずれかにおいて、通信方式の種別に対応した複数のアンテナモジュールを含んだ構成となっている。
【発明の効果】
【００１８】
請求項１に記載の非接触型ＩＣカードリーダは、通信方式の異なる複数のアンテナモジュールの１つと選択接続するための通信方式選択設定手段と、共通コネクタとを備えているので、いずれのタイプのアンテナにも対応でき、異種通信方式のカードリーダを同一基板で実現することができる。その結果、同一回路基板を用いて、用途に応じたＩＣカードシステムを構築することができる。
【００１９】
また、アンテナモジュールと接続するためのコネクタを個別に設ける必要がないため、制御部を構成する制御回路基板の省スペース化が図れ、カードリーダ全体を大型化する必要もない。
【００２０】
請求項２では、選択接続をジャンパで設定できるようにしているため、回路基板の更なる省スペース化、ひいてはカードリーダの小型化が実現できる。
【００２１】
請求項３では、アンテナモジュール別の複数の電源回路部を備えているので、いずれのアンテナモジュールにも容易に対応することができる。
【００２２】
請求項４では、複数の通信種別の異なるアンテナモジュールに対応した複数の電源回路部に対応した電源供給端子を共通コネクタに含ませているため、アンテナモジュールに対する接続を１つのコネクタで行うことができる。
【００２３】
請求項５では、非同期式２種および同期式の計３種の通信方式に対応させているため、既存のＩＣカード通信技術にも対応させることができる。
【００２４】
請求項６に記載の非接触型ＩＣカードリーダは、通信方式の種別に対応した複数のアンテナモジュールを含んだ構成であるため、施工後に通信方式選択設定手段で接続を切り換えるだけで、アンテナモジュールを取り替えることなく、他の通信方式のカードリーダに変更することができる。
【発明を実施するための最良の形態】
【００２５】
以下に、本発明を実施するための最良の形態について添付図面とともに説明する。
【実施例１】
【００２６】
図１は、本発明の非接触型ＩＣカードリーダの構成を示したブロック図である。
【００２７】
非接触型ＩＣカードリーダ１０は、制御回路基板などで構成された制御部Ｂと、３つの通信方式に個別対応したアンテナモジュールＡ１、Ａ２、Ａ３のいずれか１つとが、ケーシングにより一体化された状態で、壁裏に位置する箱体に組み込まれるかたちで配設される。なお、本発明では、小型化を実現できるので、前記箱体は、専用のものは不要で、既存のスイッチボックスのうち適した大きさのものを利用することができる。
【００２８】
ここで、３種のアンテナモジュールは、非同期式のＡタイプ（供給電源１２Ｖ）、Ｂタイプ（供給電源５Ｖ）、および同期式の計３種の通信方式に対応したものである。それぞれの方式は読み取り距離に差があり、用途に応じた利用が可能なものである。
【００２９】
制御回路基板Ｂは、ＣＰＵ等で構成された、各種の信号処理をする信号処理部１と、アンテナモジュールＡを制御回路基板Ｂに接続するための共通コネクタ３と、使用されるアンテナモジュールＡからのデータの送受を行うために、接続を選択的に切り換える通信方式選択設定手段（アンテナ通信回路）２と、複数の電源回路４ａ、４ｂと、音声合成回路５と、ＬＥＤ制御回路６と、上位機器と通信するための通信（ＲＳ４８５）ドライバ７とを備えている。
【００３０】
図１に示すように、信号処理部１は、ＩＣカードの読み取り処理のために、通信方式の種別に対応する複数のアンテナモジュールＡ１、Ａ２、Ａ３のすべてに対応して、ＩＣカードの読み取りのために必要なデータを送受するようにした信号端子１ａ（Ｒｘ、Ｔｘ／ＣＬＳ、ＲＤＰ、ＲＣＰ）を有している。
【００３１】
また、共通コネクタ３は、各アンテナモジュールＡと接続するための信号端子（Ｔｘ／ＣＬＳ、Ｒｘ／ＲＤＰ、ＲＣＰ）と、各アンテナモジュールＡに対応した電源供給端子（ＤＣ１２Ｖ、ＤＣ５Ｖ、ＤＣ２４Ｖ）とを備えている。
【００３２】
つまり、本発明の制御回路基板Ｂは本実施例に示すように、３種のアンテナモジュールＡ１、Ａ２、Ａ３のうち選択したものを接続できるようになっているが、３種分の信号に対応した個別の端子またはコネクタを必要とせず、１つの共通コネクタ３で接続できるようになっている。
【００３３】
次に、非接触ＩＣカードの通信技術について説明する。
【００３４】
ＩＣカードは、その内部にＩＣを動作させるための電源を備えていない。このＩＣカードをＩＣカードリーダ１０にかざすと、カードリーダ１０のアンテナＡから微弱電波を受けて、ＩＣカード内に電力が発生する。この電力で起動したＩＣカードとカードリーダ１０が相互に通信を行い、ＩＣカード内のデータの読み取りと書き込みが可能となる。
【００３５】
図２には、非接触型のＩＣカードとカードリーダとの電力伝送の原理を示している。
【００３６】
図２に示すように、カードリーダ１０に設けられたコイル型のアンテナＡに交流電流を流すと、電磁誘導により空中に交流磁界が発生する。カードリーダ１０にＩＣカードＣを対向させると、カード内のループアンテナがカードリーダ１０のアンテナＡからの交流磁界を受ける。交流磁界を受けたＩＣカードＣは交流電圧が発生し、これを直流に整流して、ＩＣを動作させるための電源となる。
【００３７】
この原理は上記３種の通信方式のいずれでも同様であるが、交流磁界の周波数は、非同期式ＡタイプおよびＢタイプは１３．５６Ｈｚ、同期式タイプは５４０ｋＨｚ、とそれぞれ異なる。
【００３８】
図３は、図１で示した通信方式選択設定手段の詳細構成を示すものである。この図を用いてアンテナモジュールＡの接続設定について説明する。
【００３９】
図３（ａ）の左側の信号線は信号処理部１の信号端子１ａに接続されるもので、右側の信号線は共通コネクタの信号端子に接続されるものである。また、符号２ａは通信方式を切り換えるための３ピン式のジャンパであり、２ｂは非同期式の通信用に設けられた通信インターフェース（２３２Ｃドライバ）である。
【００４０】
各信号線に付したＴｘ、Ｒｘ等の符号は、図３（ｂ）に示すように、データ種別を表わすものである。すなわち、Ｔｘ、Ｒｘは、非同期式のＡまたはＢタイプの通信における送信データ、受信データを示し、ＣＬＳ、ＲＣＰ、ＲＤＰは、同期通信におけるカード走行信号、クロックパルス、データを示している。
【００４１】
なお、（ｂ）の表に示すように、非同期式のＡタイプでは１２Ｖ、同Ｂタイプでは５Ｖ、同期式では２４Ｖの電源を必要とする。共通コネクタ３の該当電源供給端子（図１参照）に接続することで、必要とする電源電圧が選択される。
【００４２】
（ａ）に示したＴｘ／ＣＬＳは、ジャンパＪ１、Ｊ２の設定により、非同期通信方式なら送信データ、同期通信ならカード走行信号が伝送される信号線であることを示している。同様にＲｘ／ＲＤＰは、非同期通信方式なら受信データ、同期通信ならデータが伝送されるものであることを示している。
【００４３】
より具体的には、非同期式（ＡまたはＢタイプ）のアンテナモジュールＡ１またはＡ２を内蔵する場合は、ジャンパＪ１、Ｊ２の設定を図４に示すように、１−２を接続設定するようにし、同期式のアンテナモジュールＡ３を内蔵する場合は、ジャンパＪ１、Ｊ２の２−３を接続設定するようにする。
【００４４】
このように、通信方式の異なる複数のアンテナモジュールＡ１、Ａ２、Ａ３のうちの１つと選択接続するためにジャンパ等を有した通信方式選択設定手段２と、共通コネクタ３とを備えているので、いずれのタイプのアンテナにも対応でき、異種通信方式のカードリーダを同一回路基板で実現することができる。その結果、同一回路基板で、用途に応じた各種のＩＣカードシステムを構築することができる。
【００４５】
すなわち、本実施例で示すＩＣカードリーダによれば、施工後に通信方式を変更する場合は、カードリーダそのものを取り替える必要がなく、アンテナモジュールのみを交換すればよい。
【００４６】
また、共通コネクタ３は信号端子を共通で使用するようにしているため、端子数を多くする必要がなく、信号用の３端子と電源供給用の３端子（図１）とを含んだ１つの共通コネクタ３を設けるだけでよい。その結果、カードリーダの小型化を維持でき、標準のスイッチボックスや従来使用されている専用の箱体に内蔵させることが可能となる。
【００４７】
なお、ここではジャンパプラグの差込により信号の選択をするようにしているが、ディップスイッチなどの切換選択スイッチで選択できるようにしたものでもよい。
【００４８】
図５（ａ）、（ｂ）には、以上に説明した非同期式および同期式の通信波形を示している。
【００４９】
上述した本実施例では、ＩＣカードリーダ１０は選択されたアンテナモジュールＡを１つのみ含んだ構成としているが、３種のアンテナモジュールすべてを内蔵した構成としたものであってもよい。
【００５０】
また、上記３種に対応したものを説明したが、２種あるいは４種以上に対応したものであってもよい。すなわち、信号を選択的に切り換える通信方式選択設定手段と、複数アンテナに対応した共通コネクタとを備えた構成であればよい。
【図面の簡単な説明】
【００５１】
【図１】本発明の非接触型ＩＣカードリーダの構成を示したブロック図である。
【図２】非接触型ＩＣカードリーダの動作原理を示す図である。
【図３】（ａ）は通信方式選択設定手段の詳細構成を示す図であり、（ｂ）は通信方式ごとにデータ種別、電源電圧値等を示した表である。
【図４】ジャンパ設定の接続態様を示した図である。
【図５】（ａ）は非同期式、（ｂ）は同期式の通信波形を示した図である。
【図６】従来のＩＣカード通信技術の３態様を示した図である。
【符号の説明】
【００５２】
１０・・・非接触ＩＣカードリーダ
Ａ・・・アンテナモジュール
Ａ１：非同期式Ａタイプ
Ａ２：非同期式Ｂタイプ
Ａ２：同期式
Ｂ・・・制御部（制御回路基板）
１・・・信号処理部（ＣＰＵ）
１ａ・・・信号端子
２・・・通信方式選択設定手段（アンテナ通信回路）
２ａ、Ｊ１、Ｊ２・・・ジャンパ
２ｂ・・・通信インターフェース
３・・・共通コネクタ
４ａ、４ｂ・・・電源回路
Ｃ・・・ＩＣカード
【図１】
2005078381.tif 000003
【図２】
2005078381.tif 000004
【図３】
2005078381.tif 000005
【図４】
2005078381.tif 000006
【図５】
2005078381.tif 000007
【図６】
2005078381.tif 000008